(57)【要約】【課題】各種分析装置において分析を実行するのに必要なパラメータの入力設定を行うための制御装置に関し、パラメータの設定画面上の表示の煩雑さを解消し、誤入力の危険性を減少させる。【解決手段】本発明に係る分析装置用制御装置は、取得モードと設定モードという２つのモードと、これら２つのモードを切り換えるモード切り換え部と、を有している。ここで取得モードを選択すると、表示部のモニター上に画面２０Ａが表示される。この画面２０Ａでは分析装置が取得しているパラメータの現在値が表示されているものの、操作部によるパラメータの変更を受け付けない。一方、設定モードを選択すると、画面２０Ａが画面２０Ｂに切り換わり、ユーザがパラメータを入力・変更するための設定項目が表示され、操作部による入力操作を行うことができる。ユーザは取得モードと設定モードを適宜変更することで、パラメータの確認や設定を行うことができる。【選択図】図３
2011146000.tif 000002
【特許請求の範囲】
【請求項１】
分析装置が取得している、分析の実行に必要なパラメータの現在値と、該パラメータの変更をユーザが行うための、入力部としての機能を有する設定項目と、を画面上に表示する表示部、及び
前記設定項目にユーザが入力操作を行うための操作部、
を有する分析装置用の制御装置であって、
前記表示部の画面上に、前記設定項目を表示せず、前記分析装置が取得しているパラメータの現在値を表示する取得モード、
該画面上に、前記分析装置が取得しているパラメータの現在値を表示せず、前記設定項目を表示する設定モード、
前記操作部においてユーザによる所定の操作が為されたときに、これら２つのモードを切り換えるモード切り換え部、
を有することを特徴とする分析装置用制御装置。
【請求項２】
前記操作部による所定の操作が、マウスのクリック操作やキーボードのEnterキー入力であることを特徴とする請求項１に記載の分析装置用制御装置。
【発明の詳細な説明】
【技術分野】
【０００１】
本発明は、各種分析装置において分析を実行するのに必要なパラメータの入力設定を行うための制御装置に関する。
【背景技術】
【０００２】
近年、ガスクロマトグラフ、液体クロマトグラフ、質量分析装置などの各種の分析装置の制御・データ処理装置としては、汎用のパーソナルコンピュータ（ＰＣ）が利用されている。分析装置にはそれぞれ専用の制御・データ処理プログラム（アプリケーションソフトウエア）が用意されており、これをＰＣにインストールしておき、分析を行う際に必要な制御・データ処理プログラムを起動させて分析が行える環境とするようにしている。例えば非特許文献１には、液体クロマトグラフ（ＬＣ）の分析動作を制御するとともに、ＬＣ分析により得られたデータを処理し、さらにその処理結果を分かりやすく纏めたりデータを管理したりするための専用のソフトウエアが開示されている。
【０００３】
こうしたアプリケーションソフトウエアでは、ユーザが操作するための多数のコマンド（例えば分析実行の開始の指示コマンドなど）が用意されているが、操作性を考慮して、グラフィカルユーザインターフェース（ＧＵＩ）によるコマンド入力が行えるようになっている。具体的には、所定のダイアログ画面内に分析実行開始指示などを行うためのボタンやその分析実行の際の条件（パラメータなど）を設定したり選択したりするためのテキストボックスやラジオボタン、チェックボックスなどの、いわゆるＧＵＩ構成要素が配置されており、マウス（又は他のポインティングデバイス）のクリック操作やキーボード入力等により条件の設定・選択やコマンドの実行などを簡便に行えるようにしている。
【０００４】
これらのＧＵＩ構成要素で構成された設定項目が表示されている画面（以下、「設定画面」又は「入力画面」と称す）上には、パラメータ（分析条件）の設定を容易にするために、設定項目とその現在値とを並べて表示することが多い（図６）。これにより、ユーザは分析装置が取得している現在値と自らが設定する（若しくは設定した）設定値とを比較することができるため、分析条件を少しずつ変更して繰り返し分析を行う際、パラメータの変更が容易になる。
また、上記のように設定項目と現在値とを並べて表示するのではなく、各設定項目に予め現在値が入力されている場合もある（図７）。この場合、ユーザは各設定項目に入力された現在値を確認した後、この値を変更することで、分析装置の設定を変更する。
【先行技術文献】
【非特許文献】
【０００５】
【非特許文献１】「LabSolutionsシリーズ  ワークステーション  LCsolution」、[online]、株式会社島津製作所、[平成２２年１月５日検索]、インターネット<http://www.an.shimadzu.co.jp/data-net/lcsol1.htm>
【発明の概要】
【発明が解決しようとする課題】
【０００６】
しかしながら、図６のように設定項目と現在値とを並べて表示する場合、分析装置が変更すべきパラメータを多数有していると、限られた表示範囲内に各種設定項目とその現在値とが並ぶことになり、設定画面３０内が煩雑になって分析装置の状態を確認しにくくなってしまう。また、各設定項目の表示が小さくなったり互いの距離が近づいたりするため、誤入力の危険性が高くなるという問題もある。
【０００７】
一方、図７のように設定項目内に現在値が入力されている場合、上記した表示の繁雑さは解消されるものの、設定画面４０内に表示されている値が現在値であるか、若しくはパラメータ変更のための設定中の値であるかを判断することができなくなる。そのため、設定画面とは別の（設定中か否かを示すテキストやラジオボタン等が表示された）画面により各パラメータの確認を行うといった操作が必要になり、ユーザの手間が大きくなってしまう。
【０００８】
本発明は、以上のような課題を解決するためになされたものである。
【課題を解決するための手段】
【０００９】
上記課題を解決するために成された本発明に係る分析装置用制御装置は、
分析装置が取得している、分析の実行に必要なパラメータの現在値と、該パラメータの変更をユーザが行うための、入力部としての機能を有する設定項目と、を画面上に表示する表示部、及び
前記設定項目にユーザが入力操作を行うための操作部、
を有する分析装置用の制御装置であって、
前記表示部の画面上に、前記設定項目を表示せず、前記分析装置が取得しているパラメータの現在値を表示する取得モード、
該画面上に、前記分析装置が取得しているパラメータの現在値を表示せず、前記設定項目を表示する設定モード、
前記操作部においてユーザによる所定の操作が為されたときに、これら２つのモードを切り換えるモード切り換え部、
を有することを特徴とする。
【００１０】
なお、前記操作部における所定の操作としては、例えばマウスのクリック操作やキーボードのEnterキーの入力若しくは適当なショートカットキーなどを割り当てることが望ましい。これにより、ユーザは容易にモードを切り換えることができるため、パラメータの確認・入力作業の手間が減少する。
また、表示部の画面上にラジオボタンを配置し、このラジオボタンへの入力操作により、これらのモードを切り換えるようにすることもできる。
【発明の効果】
【００１１】
本発明に係る分析装置用の制御装置では、取得モードと設定モードという２つのモードと、これら２つのモードを切り換えるモード切り換え部と、を有している。ここで、取得モードでは、分析装置が取得しているパラメータの現在値が表示されているものの、パラメータを変更可能な設定項目が配置されていないため、操作部によるパラメータの変更を受け付けない。一方、設定モードでは、ユーザがパラメータを入力・変更するための設定項目が表示され、操作部による入力操作を行うことができる。また、設定モードではパラメータの現在値が表示されていないため、画面の表示の煩雑さを解消することができると共に、誤入力の危険性も減少させることができる。
【００１２】
ユーザは所定の操作を行うことで容易にこれらのモードを切り換えることができるため、パラメータの確認や設定が容易になる。また、操作部によるパラメータ変更の可否や、表示部に表示されている画面の状態（設定項目があるか否か）により、画面上の値が装置から取得された現在値であるか、設定中の値であるか、を容易に判断することができる。
【図面の簡単な説明】
【００１３】
【図１】本発明に係る制御装置の一実施例を含む分析システムの全体図。
【図２】本実施例の制御装置に搭載された制御プログラムによる機能を模式的に示した図。
【図３】本実施例の取得モードと設定モードにおける表示画面の変化を示した図。
【図４】本実施例の制御装置における具体的な操作の手順を示した図。
【図５】本実施例の制御装置における具体的な操作の手順を示した図。
【図６】分析装置のパラメータ設定に用いられる設定画面の一例を示した図。
【図７】分析装置のパラメータ設定に用いられる設定画面の別の一例を示した図。
【発明を実施するための形態】
【実施例】
【００１４】
本発明に係る分析装置用制御装置の一実施例について、図面を参照して説明する。図１は本実施例の制御装置を含む分析システムの全体図である。この分析システムは、分析装置４と、この分析装置４の動作を制御する制御装置１と、から成り、両者はネットワークケーブル５で接続されている。なお、制御装置１は、分析装置４で得られたデータを解析処理するためのデータ処理装置としての機能を併せ持っていても良い。
【００１５】
制御装置１の実体は、キーボード２ａやマウス（又は他のポインティングデバイス）２ｂ等から成る操作部２と、ＬＣＤ（Liquid Crystal Display）等から成るモニタ（表示部）３と、を含むパーソナルコンピュータ（ＰＣ）である。このＰＣにインストールされたオペレーションシステム（ＯＳ）上で、分析装置４専用の制御プログラムが動作可能となっており、この制御プログラムを動作させることでＰＣは制御装置１として機能する。
【００１６】
図２はこの制御プログラムによる機能を模式的に示した図である。制御プログラム１０はそのプログラム本体１１と本発明に相当する入力支援プログラム１２とを含む。もちろん、プログラム本体１１のみでも分析装置４の動作制御は可能であるが、これに入力支援プログラム１２を付加することにより後述するような高い操作性が達成される。
【００１７】
入力支援プログラム１２は、機能として、図３の上図に示す取得モード用の画面２０Ａをモニター３に表示する取得モード表示部１３、図３の下図に示す設定モード用の画面２０Ｂをモニター３に表示する設定モード表示部１４、これら２つのモードの画面を切り換えるモード切り換え部１５、を有する。
ここで、取得モード用画面２０Ａには、分析装置が分析を開始するのに必要なパラメータ（本実施例ではパラメータ１〜８）の現在値が表示されていると共に、モード変更用のラジオボタン２１が配置されている。一方、設定モード用画面２０Ｂには、取得モード用画面２０Ａと同じモード変更用のラジオボタン２１と、パラメータ１〜８の現在値を変更するための設定項目２２と、が配置されている。
【００１８】
なお、本実施例では、８個ある設定項目２２のうちパラメータ１〜４に対しては数値を入力するためのテキストボックス２２Ａが、パラメータ５〜８に対してはＯＮ／ＯＦＦ制御を行うためのラジオボックス２２Ｂが用いられている。これらの設定項目２２内には、図７に示した従来例の設定画面４０と同様に、予め分析装置４が取得しているパラメータの現在値が入力されていることが望ましい。
【００１９】
モード切り換え部１５はラジオボタン２１に対する入力操作を監視しており、ユーザがラジオボタン２１に対して操作部２による入力操作を行うと、モード切り換え部１５はこれらの２つのモードの切り換え操作を行う。具体的には、ラジオボタン２１の中から「Monitor」と表示されている方のラジオボタン２１Ａを選択すると、モニター３に取得モード用画面２０Ａが表示され、「Set」と表示されている方のラジオボタン２１Ｂを選択すると、モニター３に設定モード用画面２０Ｂを表示される。
ユーザは、これらの２つのモードを適宜変更することで、パラメータの現在値の確認とパラメータの入力操作を自在に行うことができる。また、現在値の確認画面とパラメータの変更画面が異なることによりモニター３上の表示の繁雑さが解消されるため、分析装置の状態の確認が容易になると共に、パラメータの誤入力の危険性を減少させることができる。
【００２０】
次に、本実施例の制御装置１における入力・確認・変更操作の具体的な手順について図４及び５を用いて説明する。
図４の上図は、設定モードにおいて、ユーザがパラメータ３及び６に対してパラメータの変更を行った後のモニター３上の表示画面である。まず、ユーザが現在値の確認をするために取得モードに変更する場合を考える。
【００２１】
ユーザはモードを変更するために、ラジオボタン２１Ａをクリックする。これにより、設定モードから取得モードへと移行するが、設定モード用画面２０Ｂにおいてパラメータが変更されている場合、パラメータの現在値を変更するか否かの確認ダイアログ２３が表示される。ここで「キャンセル」ボタンをクリックすると取得モード用画面２０Ａが設定モード用画面２０Ｂに換わってモニター３上に表示され、変更されていない状態のパラメータの現在値が表示される。なお、設定モードにおいてパラメータの変更が為されていない場合には、確認ダイアログ２３は表示されない。
取得モード画面２０Ａにおいてパラメータの現在値を確認した後は、ラジオボタン２１Ｂをクリックすることで、取得モードから設定モードに戻ることができる。
【００２２】
また、設定モードにおいて変更したパラメータを分析装置４に反映させるには、図５に示すように、設定モードから取得モードに移行する際に、確認ダイアログ２３において「ＯＫ」ボタンをクリックすれば良い。これにより、分析装置４の現在値が設定モードで設定した値に変更され、取得モード用画面２０Ａに新たに設定された現在値が表示される。
このように、本実施例の制御装置１では、設定モードから取得モードへ変更する際に、変更した全てのパラメータに対する入力確認とこれらのパラメータの一括変更を行うことができるため、誤操作の確認とパラメータ入力においてユーザの操作性を損なわないようにすることができる。
【００２３】
なお、上記実施例では、本発明におけるモードの切り換え操作が直観的に理解できるよう、モード切り換え用のラジオボタン２１を画面２０Ａ及び２０Ｂ上に配置したが、例えばキーボード２ａによるEnterキーの入力やマウス２ｂによるダブルクリックなど、操作部２による所定の動作によってモード変更が為されるようにすることもできる。これにより、モード変更がより容易になり、ユーザの作業の手間を削減することができる。
【００２４】
また、上記実施例は本発明の一例であって、本発明の趣旨に沿った範囲で適宜変形、修正、追加を行っても本願特許請求の範囲に包含されることは明らかである。
【符号の説明】
【００２５】
１…制御装置
２…操作部
２ａ…キーボード
２ｂ…マウス
３…モニター（表示部）
４…分析装置
５…ネットワークケーブル
１０…制御プログラム
１１…プログラム本体
１２…入力支援プログラム
１３…取得モード表示部
１４…設定モード表示部
１５…モード切り換え部
２０Ａ…取得モード用画面
２０Ｂ…設定モード用画面
２１、２１Ａ、２１Ｂ…モード変更用のラジオボタン
２２…設定項目
２２Ａ…テキストボックス
２２Ｂ…ラジオボタン
２３…確認ダイアログ
３０、４０…設定画面
【図１】
2011146000.tif 000003
【図２】
2011146000.tif 000004
【図３】
2011146000.tif 000005
【図４】
2011146000.tif 000006
【図５】
2011146000.tif 000007
【図６】
2011146000.tif 000008
【図７】
2011146000.tif 000009